(57)【特許請求の範囲】
【請求項１】
冷却装置のコンプレッサと、前記コンプレッサの運転を制御すると共に、霜取用のタイマ機能を有するコントローラを備えたショーケースにおいて、
複数の前記ショーケースを連結し、一台を親となるショーケースと成し、他を子となるショーケースと成すと共に、何れかのショーケースのコントローラが霜取に入った場合に、連結された全てのショーケースのコンプレッサへの通電を断つ手段と、連結された全てのショーケースの霜取が終了した場合に、全ショーケースのコントローラの通電を断った後、再投入する手段とを設けたことを特徴とするショーケースの連結制御システム。
【請求項２】
子となるショーケースのコンプレッサとコントローラとを別電源とし、親となるショーケースから前記子となるショーケースのコントローラに電源を供給することを特徴とする請求項１のショーケースの連結制御システム。
【発明の詳細な説明】
【０００１】
【発明の属する技術分野】
本発明は、冷却装置のコンプレッサとそのコントローラとを備えたショーケースを連結する際に好適な連結制御システムに関するものである。
【０００２】
【従来の技術】
従来より比較的小型のショーケースは、通常単独で使用される場合が多いため、それぞれコンプレッサを備えた冷却装置を有し、このコンプレッサをコントローラによって独自に制御し、且つ、当該コントローラの内蔵タイマ（タイマ機能）にて霜取も行う構成とされている。
【０００３】
即ち、係るショーケースにおいてはコントローラは連結機能が設けられていない。従って、例えば特開平７−９１８２４号公報の如く同種のショーケースを複数台連結し、霜取を同期して行わせる場合、従来では全ショーケースを同時に運転開始する以外に方法が無かった。
【０００４】
【発明が解決しようとする課題】
しかしながら、コントローラが内蔵するタイマには誤差が生じるため、運転開始からの時間の経過と共に霜取開始時刻がズレ、徐々に拡大してしまう問題があった。特に、所定の霜取終了温度にて霜取を終了させるものでは、各ショーケースにおいて霜取は同時に終了しないため、霜取開始時刻のズレは一層拡大される。従って、係るショーケースを連結して霜取同期をとることは極めて困難な状況となっていた。
【０００５】
本発明は、係る従来の技術的課題を解決するために成されたものであり、冷却装置のコンプレッサとそのコントローラとを備えたショーケースを連結する場合、確実に全ショーケースの霜取同期をとることができる連結制御システムを提供するものである。
【０００６】
【課題を解決するための手段】
本発明の連結制御システムは、冷却装置のコンプレッサと、コンプレッサの運転を制御すると共に、霜取用のタイマ機能を有するコントローラを備えたショーケースに適用され、複数のショーケースを連結し、一台を親となるショーケースと成し、他を子となるショーケースと成すと共に、何れかのショーケースのコントローラが霜取に入った場合に、連結された全てのショーケースのコンプレッサへの通電を断つ手段と、連結された全てのショーケースの霜取が終了した場合に、全ショーケースのコントローラの通電を断った後、再投入する手段とを設けたものである。
【０００７】
本発明によれば、コントローラが連結機能を有しないショーケースを連結した場合にも、連結された全てのショーケースの霜取同期をとることができるようになる。特に、霜取終了後に全てのショーケースのコントローラを同時に非通電とし、電源を再投入するようにしているので、コントローラのタイマ機能による全ショーケースの霜取周期のずれを強制的に修正することが可能となり、一層安定した同時霜取を実現することが可能となるものである。
【０００８】
また、請求項２の発明のショーケースの連結制御システムは、上記に加えて子となるショーケースのコンプレッサとコントローラとを別電源とし、親となるショーケースから子となるショーケースのコントローラに電源を供給するようにしたものである。
【０００９】
請求項２の発明によれば、上記に加えて各ショーケースの連結時に誤配線が生じた場合にも、各ショーケース間で電源が短絡されてしまう不都合を未然に回避できるようになるものである。
【００１０】
【発明の実施の形態】
以下、図面に基づき本発明の実施形態を詳述する。図１は本発明のショーケースの連結制御システムを説明するための電機回路図である。
【００１１】
この図において、Ｓ１及びＳ２は相互に連結されたショーケースであり、何れも基本構造は同一のもので、ショーケースＳ１を親、ショーケースＳ２を子としている。即ち、各ショーケースＳ１、Ｓ２は、通常は単独で使用される例えば縦型の小型ショーケースであり、何れも前面に開口する断面略コ字状の断熱壁内に商品陳列用の庫内が構成されている。そして、図示しない冷却装置の冷却器によって冷却された冷気を各庫内に循環して所定の温度に冷却するものである。
【００１２】
図１は各ショーケースＳ１、Ｓ２の電気回路を示しており、同一符号で示すものは同一のものとする。即ち、１は前記冷却装置に含まれるコンプレッサのモータであり、単相交流１００Ｖ電源ＡＣの一方の端子に運転コンデンサ２、始動コンデンサ３及び始動リレー４を介して接続され、他方の端子に温度スイッチ６、オーバーロードリレー７及びマグネットスイッチ８（常開）を介して接続されている。
【００１３】
また、前記交流電源ＡＣにはマグネットスイッチ８のコイル９、遅延（例えば３秒）タイマ１１、ショーケースＳ１の電子コントローラＥＣ１の温調接点１２及び補助リレー１３の常閉接点１４が直列に接続されている。そして、交流電源ＡＣの両端子は１番〜６番の多極のコネクタ１６の１番及び６番端子に接続され、このコネクタ１６の４番及び５番端子は接続されている。
【００１４】
１７はこのコネクタ１６に着脱自在に接続される多極のコネクタであり、同様に１番〜６番の端子を有している。このコネクタ１７の１番端子及び６番端子は１番〜８番の多極のコネクタ１８の１番端子及び６番端子にそれぞれ接続されている。そして、コネクタ１７の６番端子と５番端子間には前記ショーケースＳ１の電子コントローラＥＣ１が電源用のトランスを介して接続されている。
【００１５】
また、コネクタ１７の６番端子と５番端子間には更に前記補助リレー１９と遅延（例えば３秒）タイマ２１の直列回路が接続され、この遅延タイマ２１には補助リレー１９の常開接点２２が並列接続されている。更に、コネクタ１７の１番端子と２番端子間には前記補助リレー１３の常開接点２３が接続され、コネクタ１７の４番端子はその２番端子に接続されると共に、２番端子はコネクタ１８の２番端子に接続されている。
【００１６】
前記補助リレー１３はコネクタ１７の１番端子と３番端子間に接続されており、コネクタ１７の３番端子はコネクタ１８の３番端子に接続され、更に、コネクタ１７の３番端子と１番端子間には電子コントローラＥＣ１の霜取接点２４が接続されている。また、コネクタ１８の４番端子と５番端子間には補助リレー１９の常開接点２６が接続されている。
【００１７】
尚、２７は補助リレー１３と並列に接続された霜取表示ランプである。また、ショーケースＳ２の電子コントローラＥＣ２もショーケースＳ１の電子コントローラＥＣ１と同様の位置に接続され、同様の温調接点１２と霜取接点２４を備えている。
【００１８】
また、３１は１番〜８番の多極のコネクタであり、各ショーケースＳ１、Ｓ２が単独で使用される場合にコネクタ１８に着脱自在に接続される。そして、このコネクタ３１の１番端子と２番端子は接続されている。
【００１９】
ここで、各ショーケースＳ１、Ｓ２がそれぞれ単独で使用される場合、上述の如くコネクタ１６にコネクタ１７が接続され、コネクタ１８にはコネクタ３１が接続される。そして、今庫内温度が高く、電子コントローラＥＣ１或いはＥＣ２により温調接点１２が開閉され、マグネットスイッチ９が通電・非通電とされる。
【００２０】
マグネットスイッチ９が通電されると、常開接点８が閉じるので、コンプレッサモータ１が通電されて起動する。尚、温調接点１２が閉じてからマグネットスイッチ９に通電されるタイミングは遅延タイマ１１により３秒遅延されるそして、庫内温度が所定の温度に低下して電子コントローラＥＣ１或いはＥＣ２により温調接点１２が開放され、マグネットスイッチ９が非通電となると、常開接点８が開いてコンプレッサモータ１が非通電となり、停止する。これによって、庫内温度は所定の温度に維持されるものである。
【００２１】
上記電子コントローラＥＣ１及びＥＣ２には霜取タイマ（タイマ機能）が内蔵されており、冷却運転の開始から予め設定された時間が経過すると電子コントローラＥＣ１（ＥＣ２）は霜取接点２４を閉じる。霜取接点２４が閉じられると、補助リレー１３と霜取表示ランプ２７が通電され、これによって、常閉接点１４が開く。
【００２２】
これによって、マグネットスイッチ９は強制的に非通電とされるので、コンプレッサモータ１は停止する。尚、常開接点２３は閉じるので電子コントローラＥＣ１（ＥＣ２）への通電は維持され、補助リレー１９は常時通電状態となる。これによって、前記冷却装置の冷却器の霜取が開始される。そして、電子コントローラＥＣ１（ＥＣ２）が所定の霜取終了温度を検知すると（或いは所定時間経過すると）、霜取接点２４が開放されるので、補助リレー１３が非通電となり、再び冷却運転が可能となる。
【００２３】
次に、両ショーケースＳ１及びＳ２を連結する場合には、親となるショーケースＳ１のコネクタ３１を外すと共に、子となるショーケースＳ２のコネクタ１６からコネクタ１７を外し、ハーネス３４と多極のコネクタ３６及び３７から成る連結線３８にて親となるショーケースＳ１のコネクタ１８と子となるショーケースＳ２のコネクタ１７を接続する。この場合、親となるショーケースＳ１のコネクタ１８の１番端子〜６番端子が子となるショーケースＳ２のコネクタ１７の１番端子〜６番端子に接続されることになる。
【００２４】
次に、子となるショーケースＳ２のコネクタ１８にオフディレータイマ回路４１を同様の連結線３８にて接続する。このオフディレータイマ回路４１は１番〜６番の多極のコネクタ４２と、オフディレータイマ４３と、遅延（例えば３秒）タイマ４４と、オフディレータイマ４３の常閉接点４６とから構成されており、子となるショーケースＳ２のコネクタ１８の１番〜６番端子がコネクタ４２の１番〜６番端子に接続される。
【００２５】
そして、このコネクタ４２の６番端子と３番端子間に遅延タイマ４４が接続され、６番端子と遅延タイマ４４間にオフディレータイマ４３が接続される。また、常閉接点４６はコネクタ４２の１番端子と２番端子間に接続されている。上記オフディレータイマ４３は通電状態では常閉接点４６を閉じており、通電された時点で常閉接点４６を開く。そして、その時点から例えば６秒後に再び常閉接点４６を閉じる動作を行うものである。
【００２６】
以上の構成で、両ショーケースＳ１、Ｓ２に電源ＡＣが投入されると、何れのショーケースＳ１、Ｓ２の霜取接点２４も開いているので、遅延タイマ４４には通電されず、従ってオフディレータイマ４３も非通電となっていて常閉接点４６は閉じている。この常閉接点４６により親となるショーケースＳ１の電子コントローラＥＣ１に通電がなされ、親となるショーケースＳ１は冷却運転を開始する。
【００２７】
一方、この電源投入から３秒経過すると、遅延タイマ２１が補助リレー１９に通電を行い、常開接点２２、２６を閉じるので、この常開接点２６と常閉接点４６により子となるショーケースＳ２の電子コントローラＥＣ２にも通電され、ショーケースＳ２も冷却運転を開始する。以後は前述同様に各ショーケースＳ１、Ｓ２のコンプレッサ１が各電子コントローラＥＣ１、ＥＣ２により制御される。次に、電子コントローラＥＣ１或いはＥＣ２の霜取タイマ（タイマ機能）が前記予め設定された時間を積算し、何れかの電子コントローラＥＣ１或いはＥＣ２がその霜取接点２４を閉じると、両ショーケースＳ１、Ｓ２の補助リレー１３、１３と霜取表示ランプ２７、２７が通電され、これによって、両ショーケースＳ１、Ｓ２の常閉接点１４、１４が開く。
【００２８】
これによって、両ショーケースＳ１、Ｓ２のマグネットスイッチ９、９は強制的に非通電とされるので、両ショーケースＳ１、Ｓ２のコンプレッサモータ１、１は同時に停止する。尚、前述同様に常開接点２３は閉じると共に、常開接点２６も閉じているので両ショーケースＳ１、Ｓ２の電子コントローラＥＣ１、ＥＣ２への通電は維持される。
【００２９】
このようにして、何れかの電子コントローラＥＣ１、ＥＣ２が霜取接点２４を閉じると、両ショーケースＳ１、Ｓ２の冷却装置の冷却器の霜取が同時に開始されることになる。また、各霜取接点２４が閉じることにより、オフディレータイマ４３にも通電が開始されようとするが、遅延タイマ４４により３秒遅延された後、通電が開始されるので、常閉接点４６が開放された時点（３秒後）では常開接点２３、２３が閉じており、これによって、電子コントローラＥＣ１、ＥＣ２への通電が途切れることが防止される。
【００３０】
次に、何れかの電子コントローラＥＣ１或いはＥＣ２が所定の霜取終了温度を検知すると、当該ショーケースＳ１或いはＳ２の霜取接点２４が開放されるが、他のショーケースの霜取接点２４が閉じている限り、両ショーケースＳ１、Ｓ２の補助リレー１３、１３への通電は維持されるので、霜取は終了しない。
【００３１】
そして、両ショーケースＳ１、Ｓ２の電子コントローラＥＣ１、ＥＣ２が所定の霜取終了温度を検知し、霜取接点２４、２４の双方が開くと、両補助リレー１３、１３は非通電となる。これによって、常開接点２３、２３が開く。一方、霜取接点２４、２４の開放によって、オフディレータイマ４３も非通電となるが、６秒後に常閉接点４６を閉じるので、この時点では常閉接点４６は開いている。従って、両霜取接点２４、２４が開いた時点で、両ショーケースＳ１、Ｓ２の電子コントローラＥＣ１及びＥＣ２は非通電となり、内蔵タイマなどのデータはリセットされて初期状態になる。
【００３２】
そして、上記６秒が経過すると、オフディレータイマ４３が常閉接点４６を閉じるので、再び両電子コントローラＥＣ１、ＥＣ２への通電が開始され、再び冷却運転が可能となる。
【００３３】
このように本発明によれば、コントローラＥＣ１、ＥＣ２が連結機能を有しないショーケースＳ１、Ｓ２を連結した場合にも、連結された両ショーケースＳ１、Ｓ２の霜取同期をとることができるようになる。特に、霜取終了後に両ショーケースＳ１、Ｓ２のコントローラＥＣ１、ＥＣ２を同時に非通電とし、電源を再投入するようにしているので、コントローラＥＣ１、ＥＣ２の内蔵タイマによる両ショーケースＳ１、Ｓ２の霜取周期のずれを強制的に修正することが可能となる。
【００３４】
また、連結時、子となるショーケースＳ２のコンプレッサ１とコントローラＥＣ２とは別電源となり、親となるショーケースＳ１から子となるショーケースＳ２のコントローラＥＣ２に電源を供給するようにしているので、ショーケースＳ１とＳ２の連結時に誤配線が生じた場合にも、両ショーケースＳ１、Ｓ２間で電源ＡＣが短絡されてしまう不都合が未然に回避できる。
【００３５】
尚、実施例では二台のショーケースを連結した場合を説明したが、それに限らず、一台の親となるショーケースに子となるショーケースを同様の方式で二台以上順次連結して行き、最後段のショーケースのコネクタ３７にオフディレータイマ回路４１を接続しても同様の効果を奏するものである。
【００３６】
【発明の効果】
以上詳述した如く本発明によれば、冷却装置のコンプレッサと、コンプレッサの運転を制御すると共に、霜取用のタイマ機能を有するコントローラを備えたショーケースにおいて、複数のショーケースを連結し、一台を親となるショーケースと成し、他を子となるショーケースと成すと共に、何れかのショーケースのコントローラが霜取に入った場合に、連結された全てのショーケースのコンプレッサへの通電を断つ手段と、連結された全てのショーケースの霜取が終了した場合に、全ショーケースのコントローラの通電を断った後、再投入する手段とを設けたので、コントローラが連結機能を有しないショーケースを連結した場合にも、連結された全てのショーケースの霜取同期をとることができるようになる。
【００３７】
特に、霜取終了後に全てのショーケースのコントローラを同時に非通電とし、電源を再投入するようにしているので、コントローラのタイマ機能による全ショーケースの霜取周期のずれを強制的に修正することが可能となり、一層安定した同時霜取を実現することが可能となるものである。
【００３８】
また、請求項２の発明によれば、上記に加えて子となるショーケースのコンプレッサとコントローラとを別電源とし、親となるショーケースから子となるショーケースのコントローラに電源を供給するようにしているので、各ショーケースの連結時に誤配線が生じた場合にも、各ショーケース間で電源が短絡されてしまう不都合を未然に回避できるようになるものである。
【図面の簡単な説明】
【図１】本発明を適用した２台のショーケースの連結時の電気回路図である。
【符号の説明】
ＥＣ１、ＥＣ２  電子コントローラ
Ｓ１、Ｓ２  ショーケース
１  コンプレッサ
１２  温調接点
１３、１９  補助リレー
２４  霜取接点
４１  オフディレータイマ回路
【図１】
0003895869.tif 000002